(57)【要約】【課題】小屋裏の換気を自然換気で十分に行うことができ、かつ耐強風性、防水性及び施工性に優れた棟換気構造を提供する。【解決手段】棟に設けられ小屋裏１２に開口する第１の換気口１３と、棟に全長に亘り取り付けられ棟及び第１の換気口を覆いかつ内部が棟に沿って横方向に延びる通気路２６とされ、上面所定位置に第２の換気口１５が形成され、小屋裏の空気を第１の換気口から通気路を通して第２の換気口に導く棟カバー４と、棟カバーの上面に第２の換気口を覆いかつ第２の換気口の上方に空間部２７を存して配設固定され、少なくとも一側の側部と棟カバーの対応する側部との間に空間部２７に連通しかつ下方に開口する開口部２８が形成され、第２の換気口１５から空間部に導かれた空気を開口部２８から屋外に排気する換気カバー２２とを備えた構成としている。【選択図】図４
2007092347.tif 000002
【特許請求の範囲】
【請求項１】
棟に設けられ小屋裏に開口する第１の換気口と、
前記棟に全長に亘り取り付けられ該棟及び前記第１の換気口を覆いかつ内部が前記棟に沿って横方向に延びる通気路とされ、上面所定位置に第２の換気口が形成され、前記小屋裏の空気を前記第１の換気口から前記通気路を通して前記第２の換気口に導く棟カバーと、
前記棟カバーの上面に前記第２の換気口を覆いかつ該第２の換気口の上方に空間部を存して配設固定され、少なくとも一側の側部と前記棟カバーの対応する側部との間に前記空間部に連通しかつ下方に開口する開口部が形成され、前記第２の換気口から前記空間部に導かれた空気を前記開口部から屋外に排気する換気カバーとを備えたことを特徴とする棟換気構造。
【請求項２】
前記第２の換気口の開口部周縁は上方に立ち上げられて形成され、雨水の浸入を阻止することを特徴とする、請求項１に記載の棟換気構造。
【請求項３】
前記棟カバーと前記換気カバーとの間に前記換気カバーの開口部への雨水の浸入を阻止する水返し板を設けたことを特徴とする、請求項１又は請求項２に記載の棟換気構造。
【発明の詳細な説明】
【技術分野】
【０００１】
本発明は、雨水の小屋裏への浸入を防ぎかつ小屋裏の空気を棟カバーを利用して自然換気することができる棟換気構造に関する。
【背景技術】
【０００２】
家屋の湿気を防ぐには小屋裏への雨水の浸入を防ぎながら小屋裏の十分な換気が必要であり、通常換気棟を設けて自然換気により小屋裏の換気を行うようにしている。換気棟としては、一般に軒裏(軒天)に換気口を複数箇所設けて吸排気する軒裏吸排気構造、両妻壁に換気口を設けて吸排気する妻壁吸排気構造等がある。
【０００３】
また、排気孔を設けた下棟板の上に換気孔と排水口を設けた上棟板を取り付け、上棟板と下棟板との間に形成された区間部に通気口と排気口を設けた遮水通気板を取り付けて上棟板と遮水通気板と下棟板とを一体に組み立てた構造の換気棟構造が提案されている（例えば、特許文献１参照。）。
【０００４】
或いは、家屋の頂部付近の野地板に設けた開口部から排出された空気を換気棟内の頂頭部から左右の軒方向にかけて傾斜して形成されている通気路を通ってその先に形成される排気孔から屋外に排出しつつ雨水等を浸入させないようにする通風機構を有し、通気路内には屋外から雨水の浸入を防ぐとともに通気路内の空気を少なくとも直線的に通すことができる直線通風部分が形成されるように配置された遮断壁を有し、排気孔の外側には上方に向けて突出し上端が通気路の上部外壁傾斜面における下端と水平方向の延長線よりも高く形成されているデフレクターを有する構造の換気棟が提案されている（例えば、特許文献２参照。）。
【特許文献１】特開平１１−１９００７７号公報（２頁、１図）
【特許文献２】特開２００５−４８４２２号公報（５〜６頁、１図）
【発明の開示】
【発明が解決しようとする課題】
【０００５】
しかしながら、上記軒裏吸排気構造は、空気が小屋裏の下部を流れるため、上部に熱気や湿気が溜まりやすく、また、妻壁吸排気構造は、空気が小屋裏の上部だけを通るため、熱気や湿気が排出されにくい部分が多くなり、何れの構造も十分な換気が困難である。また、特許文献１及び特許文献２に開示されている棟構造は、何れも構造が複雑であり、施工性が悪いばかりでなくコストが掛かる等の問題がある。
【０００６】
本発明の目的は、小屋裏の換気を自然換気で十分に行うことができ、かつ耐強風性、防水性及び施工性に優れた棟換気構造を提供することにある。
【課題を解決するための手段】
【０００７】
上記目的を達成するために本発明に係わる棟換気構造は、棟に設けられ小屋裏に開口する第１の換気口と、前記棟に全長に亘り取り付けられ該棟及び前記第１の換気口を覆いかつ内部が前記棟に沿って横方向に延びる通気路とされ、上面所定位置に第２の換気口が形成され、前記小屋裏の空気を前記第１の換気口から前記通気路を通して前記第２の換気口に導く棟カバーと、前記棟カバーの上面に前記第２の換気口を覆いかつ該第２の換気口の上方に空間部を存して配設固定され、少なくとも一側の側部と前記棟カバーの対応する側部との間に前記空間部に連通しかつ下方に開口する開口部が形成され、前記第２の換気口から前記空間部に導かれた空気を前記開口部から屋外に排気する換気カバーとを備えたことを特徴としている。
【０００８】
室内で発生した水蒸気を含んだ湿った空気や、雨、床下の土壌から発生して外壁と内壁との隙間を通して、或いは軒裏の換気口から小屋裏に侵入した湿った空気は、棟の上方に開口する第１の換気口から棟カバーと屋根頂部(棟)との間の通気路内に流れ込み、この通気路を横方向に流れて第２の換気口から棟カバーと換気カバーとの間の空間部内へと流れ、更に開口部から屋外へと流れて排気される。そして、開口部が下方に向けて開口されていることで雨水の浸入が有効に阻止される。これにより、雨水の浸入を防止しつつ小屋裏内の空気を自然換気により換気することができる。
【０００９】
また、本発明の請求項２に記載の棟換気構造は、請求項１に係わる棟換気構造において、前記第２の換気口の開口部周縁は上方に立ち上げられて形成され、雨水の浸入を阻止することを特徴としている。
【００１０】
棟カバーと換気カバーとの間の開口部から換気棟内に雨水が浸入した場合、第２の換気口の開口周縁部の上方に立ち上げられた部位が水返しとして機能し、雨水が第２の換気口から棟カバー内に浸入することを防止し、小屋裏への雨水の浸入を防止する。
【００１１】
また、本発明の請求項３に記載の棟換気構造は、請求項１又は請求項２に係わる棟換気構造において、前記棟カバーと前記換気カバーとの間に前記換気カバーの開口部への雨水の浸入を阻止する水返し板を設けたことを特徴としている。
【００１２】
強風等により屋根面に沿って吹き上げられ棟カバーと換気カバーとの間の開口部に至った雨水は、水返し板により換気棟内へ浸入することが阻止される。
【発明の効果】
【００１３】
本発明によると、小屋裏の空気を棟カバー内にかつ当該大棟カバーに沿って横方向に流すことにより、換気カバーの高さを低くしつつ自然換気を良好に行うことができる。また、換気カバーを低くすることで見栄えが向上し、更に換気カバーを棟カバーに固定していることで高さを低くすることと相俟って耐強風性が向上する。また、構造が簡単であり、コストの低減及び施工性の向上が図られる。
【００１４】
また、棟カバーの第２の換気口の開口周縁部を上方に立ち上げることで、第２の換気口から雨水が浸入することを防止することができると共に、換気カバーの側部下方に開口する開口部に設けた水返し板により開口部からの雨水の浸入が有効に阻止され、小屋裏への雨水の浸入を防止することができる。
【００１５】
また、既存の屋根に容易に適用することができ、かつ既存の屋根の意匠を損なうことなく、しかも、極めて単純な構造で防水性、固定強度、施工性に優れた換気棟を取り付けることができる。
【発明を実施するための最良の形態】
【００１６】
以下、本発明の第１の実施形態に係わる棟換気構造について図面に基づいて説明する。
【００１７】
図１は、本発明に係わる棟換気構造を適用した寄棟造屋根の平面図を示し、寄棟造屋根１は、大棟の左右両側から斜め前後方向に降り棟が降り、前後の斜面をなす屋根面２，２及び左右の斜面をなす屋根面３，３からなる四つの屋根面(斜面)により構成されている。そして、前記大棟及び左右の各降り棟に夫々棟カバーとしての大棟カバー４及び降り棟カバー５，５，６，６が取り付けられている。そして、大棟カバー４の例えば中央位置に図１及び図２に示すように換気棟２１が取り付けられている。
【００１８】
屋根１の前後の屋根面２，２は、図示しない軒桁から図３及び図４に示す棟木８まで垂木９，９が所定の間隔で載置されて固定され、これらの垂木９，９上に野地板１０，１０が敷設されて固定されている。前後の野地板１０，１０の上端は、図４に示すように突き合わされており、小屋裏１２を密閉している。そして、野地板１０，１０に屋根材例えば平板スレート瓦１１，１１が軒先から頂部まで所定の働き幅を存して順次階段状に重ねられて固定されている。これらの前後の平板スレート瓦１１，１１の上端も突き合わされている。
尚、前後の屋根面２，２の平板スレート瓦１１，１１の上端は、図４に示すように必ずしも突き合わせる必要はなく、施工上問題の無い範囲で離隔していても良い。屋根１の左右の屋根面３についても屋根面２と同様に形成されている。
【００１９】
棟木８の上方の棟即ち屋根頂部には図３に示すように左右両側位置に複数例えば２つの第1の換気口１３，１３が形成されている。これらの換気口１３は、隣り合う垂木９の間において前後の屋根面２，２を形成する野地板１０，１０と平板スレート瓦１１，１１の各突き合わされた頂部を夫々角形に切り欠いて形成され、図１に点線で示すように大棟カバー４の長手方向に沿う長方形状をなしている。これらの換気口１３は、小屋裏１２を屋根頂部に取り付けられている大棟カバー４の内部に連通させるためのものである。
【００２０】
図４は、図１に示した大棟カバー４及び換気棟２１の組立断面図を示す。大棟カバー４は、側面視山形をなし前後の上部４ａ，４ａが屋根１の前後の屋根面２，２と略平行な斜面とされ、前後両側部４ｂ，４ｂが略垂直に下方に折曲されその下部４ｃ，４ｃが外方に屋根面２，２に沿って折曲され、更にその先端４ｄ，４ｄが内側に略Ｖ字状に折り返されて水返し部とされている。
【００２１】
そして、大棟カバー４の中央部に複数例えば２つの第２の換気口１５，１５が形成されている。これらの換気口１５は、開口縁部が上方に立ち上げられて水返し部１５ａとされている。この水返し部１５ａは、後述するように換気棟２１から小屋裏１２への雨水の浸入を阻止するためのものである。この大棟カバー４は、所定幅及び長さの帯鋼板例えば耐食性に優れた厚さが０.４ｍｍ程度のガルバニウム鋼板等の金属板で一体に形成されている。
【００２２】
支持部材（ピース）１６，１７は、前後の屋根面２，２の上部と大棟カバー４との間に介在されて当該大棟カバー４を屋根面２，２の頂部に固定するためのもので、所定幅の帯鋼板を屋根面２，２及び大棟カバー４の上部４ａ，４ａの傾斜に沿って図示のように折曲して形成され、大棟カバー４の上部４ａ，４ａの幅よりも僅かに短く形成されている。
【００２３】
支持部材１６は、上部１６ａが大棟カバー４の上部４ａの支持部とされ、中央部１６ｂが下方に略角形に膨出して形成されて屋根面２との固定部とされ、上部１６ａの水下側（下側）が下方に折曲されて側部１６ｃとされ、大棟カバー４の側部４ｂとの固定部とされている。そして、中央部１６ｂ及び両側部１６ｃの高さは、大棟カバー４の側部４ｂの高さに設定されている。支持部材１７も支持部材１６と同様に形成されている。
【００２４】
このように、大棟カバー４を支持する支持部材を、別体の２つの支持部材１６，１７とすることで、種々の傾斜の屋根面に対して取り付けが容易となり、作業性が向上する。これらの支持部材１６，１７は、耐食性を有し剛性の高い鋼板例えば板厚が０.５〜０.６ｍｍ程度のガルバニウム鋼板等で形成されている。
【００２５】
換気棟２１は、換気カバー２２、支持部材（フレーム）２３、水返し板２４及び虫除け網２５等により構成されている。換気カバー２２は、大棟カバー４と同様に側面視山形の形状をなし、前後の上部２２ａ，２２ａが屋根１の前後の屋根面２，２と略平行な斜面とされ、両側部２２ｂ，２２ｂが略垂直に下方に折曲され、下端２２ｃ，２２ｃが内側に略Ｖ字状に折り返されて水返し部とされている。また、図２及び図３に示すように左右両端部２２ｄ，２２ｄが略直角に下方に折曲されて閉塞されている。この換気カバー２２は、両側部２２ｂ及び両端部２２ｄ，２２ｄが所定の高さ例えば大棟カバー４の両側部４ｂ，４ｂの高さと略同じ高さに設定されている。
【００２６】
換気棟２１は、小屋裏１２の大きさ（広さ）に応じた換気量を確保する大きさに設定されており、換気カバー２２は、その長さが例えば９００ｍｍ程度に設定され、２つの換気口１５，１５の左右方向に延出してこれらの換気口１５，１５の上方及び側方を十分に覆う長さとされ、上部２２ａの幅が大棟カバー４の上部４ａの幅よりも広く例えば下部４ｃの幅程度広く設定されている。これにより、大棟カバー４の側部４ｂと換気カバー２２の側部２２ｂとの間に長手方向に沿って下方に開口する開口部２８を形成することができる（図６参照）。この換気カバー２２も大棟カバー４と同様にガルバニウム鋼板等で一体に形成されている。
【００２７】
支持部材（フレーム）２３は、大棟カバー４と換気カバー２２との間に介在されて換気カバー２２を大棟カバー４上に固定するためのもので、所定幅の帯鋼板を換気カバー２２の断面形状と略同じ形状に折曲して形成され、上部２３ａ，２３ａ及び側部２３ｂ，２３ｂが換気カバー２２の上部２２ａ，２２ａ及び側部２２ｂ，２２ｂの裏面に当接可能とされている。そして、上部２３ａ，２３ａの側部近傍が下方に略角形をなしかつ側部２３ｂ，２３ｂと同じ高さに膨出して形成され、大棟カバー４の上部４ａ，４ａとの固定部２３ｃ，２３ｃとされている。
【００２８】
この支持部材２３も支持部材１６，１７と同様に板厚が０.５〜０.６ｍｍ程度のガルバニウム鋼板等で形成されている。なお、支持部材２３は、支持部材１６，１７と異なり、１枚の帯鋼板で一体に形成されているために強度が高く、板厚が０.４ｍｍ程度のガルバニウム鋼板等を使用しても良い。
【００２９】
水返し板２４は、その長さが換気カバー２２と同じ長さとされ、その幅が支持部材２３の固定部２３ｃの幅よりも僅かに幅広とされ、一側縁部が下方に折曲されて水返し部２４ａとされている。この水返し板２４は、大棟カバー４と換気カバー２２との間に介在されて換気カバー２２の開口部２８から雨水が浸入することを阻止するためのものである。虫除け網２５は、開口部２８に張設されて小屋裏１２への虫の侵入を阻止する。
【００３０】
次に、上記構成の棟換気構造の施工手順を図４乃至図７を参照しつつ説明する。図４及び図５に示すように支持部材１６，１７は、屋根１の前後の屋根面２，２の頂部近傍位置にこれらの屋根面２，２の長手方向に沿って所定の間隔で配置され、中央部１６ｂ，１７ｂが夫々ビス３１，３１により平板スレート瓦１１，１１と共に野地板１０，１０に固定される。
【００３１】
大棟カバー４は、支持部材１６，１７の上部１６ａ，１７ａに載置され、両側部４ｂ，４ｂが支持部材１６，１７の側部１６ｃ，１７ｃにビス３２，３２で固定される。この状態において大棟カバー４の両側下部４ｃ，４ｃの各先端４ｄ，４ｄが対向する平板スレート瓦１１，１１の上面に当接し、下方から吹き上がる雨水の浸入を阻止する。このようにして、屋根１の棟（頂部）が大棟カバー４により覆われている。そして、棟と大棟カバー４との間に全長に亘り横方向（水平方向）に延びる空間部２６が形成される。この空間部２６は、換気口１３を通して小屋裏１２に連通されており、通気路とされる。
【００３２】
大棟カバー４は、その高さが通常の平板スレート瓦屋根に使用する棟カバー程度の高さに設定されている。従って、換気効率を高くするために通気路を広くする即ち、空気の流れる方向と直行する方向の断面積を大きくする必要がある場合には、支持部材２３と換気カバー２２との寸法関係を変えることによって容易に対処できる。
【００３３】
図４、図６及び図７に示すように水返し板２４，２４は、大棟カバー４の上面中央に設けられた２つの換気口１５の両側にかつ上部４ａ，４ａの縁部に長手方向に沿って載置され、水返し部２４ａ，２４ａが大棟カバー４の側部４ｂ，４ｂから開口部２８に張り出して配置されている。支持部材２３は、水返し板２４，２４上にその長手方向に沿って所定の間隔で配置され、かつ固定部２３ｃ，２３ｃが水返し板２４，２４と共にビス３３，３３で大棟カバー４の上部４ａ，４ａ及び支持部材１６，１７の上部１６ａ，１７ａに固定される。
【００３４】
換気カバー２２は、支持部材２３の上部２３ａ，２３ａに載置されて大棟カバー４の換気口１５，１５の上方を覆い、側部２２ｂ，２２ｂが支持部材２３の側部２３ｂ，２３ｂにビス３４，３４で固定される。この状態において換気カバー２２の左右の両端部２２ｄ，２２ｄの下端が大棟カバー４の上部４ａ，４ａに当接している（図２参照）。そして、大棟カバー４の上部４ａと換気カバー２２との間に空間部２７が形成され、大棟カバー４の側部４ｂの上部と換気カバー２２の側部２２ｂの下端との間に換気カバー２２の長手方向に沿って下方に開口する開口部２８が形成される。空間部２７は、通気路とされる。そして、開口部２８に虫除け網２５が張設される。
【００３５】
空間部２７は、換気口１５を通して空間部２６に連通され、かつ図７に示すように隣り合う支持部材２３の間の空間部を通して開口部２８に連通される。このようにして、大棟カバー４に換気棟２１が取り付けられる。
【００３６】
次に、上記構成の棟換気構造の作用を説明する。家屋の室内で発生した水蒸気を含んだ湿った空気や、雨、床下の土壌から発生して当該家屋の外壁と内壁との隙間を通して、或いは軒裏の換気口から図２及び図７に示す小屋裏１２に侵入した湿った空気は、矢印で示すように棟木８の上方に開口する２つの換気口１３，１３から大棟カバー４と棟（屋根頂部）との間の通気路としての空間部２６内に流れ込み、当該空間部２６を横方向に流れて中央の換気口１５，１５から大棟カバー４と換気カバー２２との間の空間部２７内へと流れ、更に開口部２８から屋外へと流れて排気される。これにより、小屋裏１２内の換気が行われる。また、開口部２８に張設された虫除け網２５により種々の虫等が小屋裏１２内に侵入することを防止することができる。特に、蜂が小屋裏１２に巣を作ることを防止することができる。
【００３７】
小屋裏１２内の空気を大棟カバー４内にかつ当該大棟カバー４に沿って横方向（水平方向）に流すことにより、換気棟２１の高さを低くすることができ、更に大棟カバー４を低くし、換気カバー２２の高さを大棟カバー４と略同じ高さに低く設定したことで、図２に示すように換気棟２１の高さを低く抑えることができ、屋根１から突出する高さが低くなり見栄えが向上する。更に換気カバー２２を耐食性に優れたガルバニウム等の鋼板で形成された支持部材２３により大棟カバー４に強固に固定していることで、従来構造の大棟カバーを固定する笠木を使用した場合に比べて耐食性、耐風性が大幅に向上し強風対策として極めて有効である。
【００３８】
また、図２に示すように換気カバー２２の端部２２ｄの下端が大棟カバー４の上部４ａに当接していることで、これらの間から雨水が換気棟２１内に浸入することが阻止され、更に水返し板２４により換気カバー２２の開口部２８からの雨水の浸入が阻止される。更に大棟カバー４の換気口１５の開口縁部が立ち上げられて水返し部１５ａとされていることで、台風等の強風により雨水が空間部２７内に浸入した場合でも換気口１５から浸入することが阻止される。これにより、雨水が換気棟２１から小屋裏１２内に浸入することが防止される。
【００３９】
なお、上記実施形態では図３に示すように棟の左右側に換気口１３を２箇所設けたが、これに限るものではなく、棟の中央部に設けても良く、また、屋根の大きさ（棟の長さ）に応じて３箇所以上設けても良い。
【００４０】
更に、上記実施形態では図１に示すように大棟カバー４の中央位置の１箇所に換気棟２１を設けたが、これに限るものではなく、屋根の大きさに応じて複数個所に設けても良い。
【００４１】
また、上記実施形態では寄棟造の屋根の家屋に棟換気構造を適用した場合について記述したが、これに限るものではなく、切妻造の屋根や入母屋造の屋根の家屋にも適用しうることは勿論である。
【００４２】
更に本発明の換気棟は、既存の大棟カバーの上に別物として取り付けることができ、屋根の改修時に新たに取り付けることが可能である。この場合、既存の野地板及び平板スレート瓦等の棟下地に換気口がない場合には新たに換気口を設けると共に、大棟カバーに換気口を設けてその開口周縁部を立ち上げて水返し部とし、換気棟を大棟カバーに固定する支持部材と大棟カバーとの間に水返し板を取り付ける。
【図面の簡単な説明】
【００４３】
【図１】本発明に係わる棟換気構造を適用した寄棟造屋根の平面図である。
【図２】図１に示した屋根の頂部及び換気棟の側面図である。
【図３】図１に示した屋根の矢線III−IIIに沿う断面図である。
【図４】図１に示した換気棟の組立断面図である。
【図５】図１に示した屋根の矢線Ｖ−Ｖに沿う断面図である。
【図６】図１に示した屋根の矢線VI−VIに沿う断面図である。
【図７】図１に示した屋根の矢線VII−VIIに沿う断面図である。
【符号の説明】
【００４４】
１    屋根（寄棟造屋根）
２，３    屋根面（斜面）
４    大棟カバー（棟カバー）
４ａ    上部
４ｂ    側部
４ｃ    下部
４ｄ    先端（水返し部）
５，６    降り棟カバー
８    棟木
９    垂木
１０    野地板
１１    平板スレート瓦
１２    小屋裏
１３    換気口（第１の換気口）
１５    換気口（第２の換気口）
１５ａ    水返し部
１６、１７    支持部材（ピース）
１６ａ，１７ａ    上部
１６ｂ，１７ｂ    中央部
１６ｃ，１７ｃ    側部
２１    換気棟
２２    換気カバー
２２ａ    上部
２２ｂ    側部
２２ｃ    下端
２２ｄ    端部
２３    支持部材（フレーム）
２３ａ    上部
２３ｂ    側部
２３ｃ    固定部
２４    水返し板
２４ａ  水返し部
２５    虫除け網
２６，２７    空間部（通気路）
２８    開口部
３１，３２，３３，３４    ビス
【図１】
2007092347.tif 000003
【図２】
2007092347.tif 000004
【図３】
2007092347.tif 000005
【図４】
2007092347.tif 000006
【図５】
2007092347.tif 000007
【図６】
2007092347.tif 000008
【図７】
2007092347.tif 000009